(57)【要約】【課題】  部品点数の削減によるコストダウンを図るとともに、洗剤容器全体の小型コンパクト化を図る。【解決手段】  洗剤Ｗを収容する容器本体２及びこの容器本体２に設けた容器口部２ｒに着脱する逆カップ状に形成したキャップ３を備える洗剤容器１を構成するに際して、キャップ３の開口縁部３ｄに、開口方向Ｆｏに突出するブラシ部４を設ける。キャップ３は、ブラシ部４のグリップとして形成するとともに、容器本体２には、キャップ３を容器口部２ｒに装着した際にブラシ部４の周りを囲む衝立部１１を設ける。【選択図】  図１
0003120625.tif 000002
【実用新案登録請求の範囲】
【請求項１】
洗剤を収容する容器本体及びこの容器本体に設けた容器口部に着脱する逆カップ状に形成したキャップを備える洗剤容器において、前記キャップの開口縁部に、開口方向に突出するブラシ部を設けてなることを特徴とする洗剤容器。
【請求項２】
前記キャップの外周面は、前記ブラシ部のグリップとして形成することを特徴とする請求項１記載の洗剤容器。
【請求項３】
前記容器本体には、前記キャップを前記容器口部に装着した際に前記ブラシ部の周りを囲む衝立部を設けることを特徴とする請求項１又は２記載の洗剤容器。
【考案の詳細な説明】
【技術分野】
【０００１】
本考案は、容器本体に設けた容器口部に着脱する逆カップ状に形成したキャップを備える洗剤容器に関する。
【背景技術】
【０００２】
一般に、まな板や食器等を漂白する際に用いる液体の漂白剤（洗剤）は知られている。この種の洗剤は洗剤容器に収容されており、この洗剤容器は、通常、容器本体及びこの容器本体の上端に設けた容器口部に着脱するキャップを備えている。ところで、洗剤を使用する際には、汚れなどを落とす洗浄ブラシを用いることも多いが、この洗浄ブラシは、別途用意する必要があることから、洗浄を行う際に紛失していたり或いは専用のブラシを用意していないこともあり、これらの場合には十分な洗浄を行うことができない。
【０００３】
このため、キャップにブラシを付けた洗剤容器も、実登３０３７１８９号公報で知られている。同公報で開示される洗浄剤入りエアゾール缶のブラシ付きキャップの構造は、洗浄剤入りエアゾール缶本体の頂部に着脱自在に装着されたブラシ付キャップの上縁に、ブラシを保護するためにブラシ保護キャップを着脱自在に装着してなる洗浄剤入りエアゾール缶のブラシ付きキャップの構造であって、ブラシ保護キャップをブラシの使用時にブラシ付キャップの下縁に着脱自在に装着できるようにしたものである。
【特許文献１】実登３０３７１８９号
【考案の開示】
【考案が解決しようとする課題】
【０００４】
しかし、上述した従来の洗剤容器は、次のような問題点があった。
【０００５】
第一に、キャップの上端面にブラシの下端面を単に結合した（組合わせた）構造になるため、ブラシと洗剤容器に用いる二つのキャップが必要になる。したがって、部品点数の十分な削減効果を得られず、コスト面で不利になる。
【０００６】
第二に、キャップの上端面にブラシの下端面を単に組合わせた構造になることから、上下方向における全体の高さは、洗剤容器の本来の高さに対して更にブラシの高さを加えた高さとなり、全体の小型コンパクト化を図ることができない。
【０００７】
本考案は、このような背景技術に存在する課題を解決した洗剤容器の提供を目的とするものである。
【課題を解決するための手段】
【０００８】
本考案は、上述した課題を解決するため、洗剤Ｗを収容する容器本体２及びこの容器本体２に設けた容器口部２ｒに着脱する逆カップ状に形成したキャップ３を備える洗剤容器１を構成するに際して、キャップ３の開口縁部３ｄに、開口方向Ｆｏに突出するブラシ部４を設けてなることを特徴とする。
【０００９】
この場合、考案の好適な態様により、キャップ３の外周面は、ブラシ部４のグリップとして形成することが望ましい。また、容器本体２には、キャップ３を容器口部２ｒに装着した際にブラシ部４の周りを囲む衝立部１１を設けることができる。
【考案の効果】
【００１０】
このような構成を有する本考案に係る洗剤容器１によれば、次のような顕著な効果を奏する。
【００１１】
（１）  キャップ３の開口縁部３ｄに、開口方向Ｆｏに突出するブラシ部４を設けたため、キャップ３を容器口部２ｒに装着した際には、ブラシ部４が容器本体２に沿って重なり、ブラシ部４に対する別途のキャップを不要にすることができる。したがって、部品点数の削減によるコストダウンに寄与できる。
【００１２】
（２）  キャップ３を容器口部２ｒに装着しても、ブラシ部４は一般的な洗剤容器の形態に係わる外面から外方にほとんど突出しないため、洗剤容器１の高さ（大きさ）は、一般的な洗剤容器とほとんど変わらない。したがって、洗剤容器全体の小型コンパクト化に寄与できる。
【００１３】
（３）  好適な態様により、キャップ３の外周面を、特に、ブラシ部４のグリップとして形成すれば、使い勝手及び利便性をより高めることができる。
【００１４】
（４）  好適な態様により、容器本体２に、キャップ３を容器口部２ｒに装着した際にブラシ部４の周りを囲む衝立部１１を設ければ、ブラシ部４から垂れた洗剤や水等を受ける受皿部として機能させたり、或いはブラシ部４の保護カバーとして機能させることができるなど、多機能性及び外観性を高めることができる。
【考案を実施するための最良の形態】
【００１５】
次に、本考案に係る最良の実施形態を挙げ、図面に基づき詳細に説明する。
【００１６】
まず、本実施形態に係る洗剤容器１の構成について、図１〜図５を参照して具体的に説明する。
【００１７】
洗剤容器１は、図１に示すように、大別して容器本体２とキャップ３を備える。容器本体２は、基本的な構成として、外形を円柱状に形成し、かつ内部に洗剤（例えば、漂白剤等）Ｗを収容する本体部２１と、この本体部２１の上端部から上方に延出し、かつ上方へ行くに従って漸次小径となる容器肩部２２と、この容器肩部２２の上端部から上方に延出し、かつ円筒状に形成した容器首部２３とを有し、この容器首部２３の上端が容器口部２ｒとなる。
【００１８】
また、キャップ３は、全体を逆カップ状に形成し、容器本体２の容器口部２ｒに着脱する。したがって、キャップ３の内周面には雌ネジ部２５を形成し、他方、容器首部２３の外周面には雄ネジ部２６を形成する。これにより、容器首部２３に対してキャップ３を螺合させることができる。
【００１９】
一方、キャップ３の開口縁部３ｄには、図２及び図３に示すように、開口方向（下方）Ｆｏに突出するブラシ部４を一体に設ける。この場合、キャップ３は、通常、プラスチックにより一体成形するため、歯ブラシと同様、インサート成形法などにより開口縁部３ｄにブラシ部４の一部を埋め込むことができる。また、キャップ３の開口縁部３ｄに、ブラシ部４を設ける態様としては、図４（ａ）に示すように、開口縁部３ｄの周方向全体に均一に設けてもよいし、図４（ｂ）に示すように、一定間隔毎に間を空けて設けてもよい。なお、ブラシ部４は、容器本体２に収容した洗剤Ｗの種類及び用途などに対応して最適なブラシ部４を選定する。
【００２０】
さらに、キャップ３の外周面は、ブラシ部４のグリップとして形成する。したがって、キャップ３における外周面の形状や表面態様を、手で持ち易く、かつ作業しやすいように、グリップ性を良好にしたり、滑り止めなどを考慮して形成する。このように、キャップ３を、特に、ブラシ部４のグリップになるように形成すれば、使い勝手及び利便性をより高めることができる。
【００２１】
他方、容器本体２には、前述した基本的な形態に加え、キャップ３を容器口部２ｒに装着した際にブラシ部４の周りを囲む衝立部１１を設ける。衝立部１１は、図２及び図５に示すように、全体が円筒状となるように形成し、容器肩部２２の中間部から上方に起立させる。したがって、衝立部１１は、容器肩部２２に対して一体成形することができる。これにより、衝立部１１と容器首部２３間には、ブラシ部４から垂れた洗剤や水等を受ける受皿部３１が形成される。また、衝立部１１の高さは、図３に示すように、ブラシ部４が隠れる高さを選定する。具体的には、キャップ３を容器口部２ｒに装着した際に、衝立部１１の上端がキャップ３の開口縁部３ｄよりも若干上方に位置する程度に選定することができる。
【００２２】
このように、容器本体２にブラシ部４の周りを囲む衝立部１１を設ければ、上述した受皿部３１として機能させたり、或いはブラシ部４に対する保護カバーとして機能させることができるなど、多機能性及び外観性を高めることができる。
【００２３】
次に、本実施形態に係る洗剤容器１の使用方法及び機能について、各図を参照して説明する。
【００２４】
洗剤容器１は、一般的な洗剤容器と同様、洗剤Ｗを収容する基本的な機能を有しているため、容器本体２の内部に漂白剤等の洗剤Ｗを収容し、容器本体２の容器口部２ｒにキャップ３を装着して保存することができる。
【００２５】
一方、キャップ３の開口縁部２ｄには、開口方向Ｆｏに突出するブラシ部４を一体に有するため、ブラシ部４は、洗剤Ｗを使用する際に専用のブラシとして利用することができる。この際、前述したように、キャップ３は、ブラシ部４のグリップとして形成するため、使い勝手及び利便性をより高めることができる。
【００２６】
そして、洗剤Ｗの使用を終了し、キャップ３を容器本体２の容器口部２ｒに装着すれば、洗剤容器１を上述した保存状態にすることができるとともに、同時に、ブラシ部４を収納することができる。この際、容器本体２にはブラシ部４の周りを囲む衝立部１１を有するため、受皿部３１によりブラシ部４から垂れた洗剤や水等を受けることができるとともに、ブラシ部４の保護が図られる。
【００２７】
よって、このような本実施形態に係る洗剤容器１によれば、キャップ３の開口縁部３ｄに、開口方向Ｆｏに突出するブラシ部４を設けたため、キャップ３を容器口部２ｒに装着した際には、ブラシ部４が容器本体２に沿って重なり、ブラシ部４に対する別途のキャップを不要にすることができる。したがって、部品点数の削減によるコストダウンに寄与できる。また、キャップ３を容器口部２ｒに装着しても、ブラシ部４は一般的な洗剤容器の形態に係わる外面から外方にほとんど突出しないため、洗剤容器１の高さ（大きさ）は、一般的な洗剤容器とほとんど変わらない。したがって、洗剤容器全体の小型コンパクト化に寄与できる。
【００２８】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００２９】
例えば、洗剤Ｗには、本来の洗剤をはじめ、漂白剤，殺菌剤，除臭剤等のブラシ部４を使用することができる各種の溶液が含まれる。また、キャップ３は、ブラシ部４のグリップとして形成することが望ましいが、既存のキャップの形態（形状）をそのまま利用しても勿論よい。さらに、容器本体２に、キャップ３を容器口部２ｒに装着した際にブラシ部４の周りを囲む衝立部１１を設けたが、この衝立部１１は、容器本体２に対して別体に形成したものを取付けてもよいし、必ずしも設けることを要しない。衝立部１１を別体に形成する場合には、透明プラスチックを用いるなど、衝立部１１の素材を容器本体２に対して異ならせることができる。一方、衝立部１１と同様、ブラシ部４も、キャップ３の開口縁部３ｄに対して一体に設けてもよいし、別体のブラシ部４を取付けてもよい。別体のブラシ部４を設ける場合には、着脱式に構成し、必要により異なる性質のブラシ部４を選択できるようにしてもよい。
【図面の簡単な説明】
【００３０】
【図１】本考案の最良の実施形態に係る洗剤容器であってキャップを装着した状態を示す一部断面正面図、
【図２】同洗剤容器であってキャップを離脱した状態を示す一部断面正面図、
【図３】同洗剤容器のキャップ及びこのキャップを装着した容器本体の一部を示す外観正面図、
【図４】同洗剤容器におけるキャップの底面図、
【図５】同洗剤容器における容器本体の平面図、
【符号の説明】
【００３１】
１    洗剤容器
２    容器本体
２ｒ  容器口部
３    キャップ
３ｄ  開口縁部
４    ブラシ部
１１  衝立部
Ｆｏ  開口方向
Ｗ    洗剤
【図１】
0003120625.tif 000003
【図２】
0003120625.tif 000004
【図３】
0003120625.tif 000005
【図４】
0003120625.tif 000006
【図５】
0003120625.tif 000007